(57)【要約】【課題】デジタル通信システムにおける故障データ等の監視情報の伝送システムに関する。【解決手段】デジタル通信システムの信号伝送で用いられているリードソロモン符号の同期コードを活用し、伝送する監視情報のビット情報を該同期コードと同じビット数で拡散コード化する。拡散コード化した情報を、伝送されているリードソロモン符号の同期コードフレーム位置にｎフレーム間隔で入れ替えて送信することを特徴とする監視情報伝送方式。【選択図】図８
2008177631.tif 000002
【特許請求の範囲】
【請求項１】
リードソロモン符号を用いて信号を伝送するデジタル通信システムにおけるシステム状態の監視に伴う監視情報の伝送において、
伝送する監視情報の各ビット情報を、前記信号の伝送におけるリードソロモン符号で用いられている同期コードと同じビット数で拡散コード化し、
当該拡散コード化した情報を、前記リードソロモン符号の同期コードフレーム位置にnフレーム間隔で入れ替えて送信することを特徴とする監視情報伝送方法。
【請求項２】
前記監視情報のビット情報の“１”を伝送する場合及び“０”を伝送する場合、一方をリードソロモン符号の同期コードと同じコードを使用し、他方は該同期コードと逆相関のコードを使用することを特徴とする請求項１に記載の監視情報伝送方法。
【請求項３】
リードソロモン符号を用いて信号を伝送するデジタル通信システムの状態を監視する監視装置において、
監視に伴って送信する監視情報のビット情報を前記信号の伝送におけるリードソロモン符号で用いられている同期コードと同じビット数で拡散コード化し、
当該拡散コード化した情報を、前記リードソロモン符号の同期コードフレーム位置にnフレーム間隔で入れ替えて挿入することにより前記監視情報を伝送することを特徴とする監視装置。
【請求項４】
前記監視情報のビット情報の“１”を伝送する場合及び“０”を伝送する場合、一方をリードソロモン符号の同期コードと同じコードを使用し、他方は該同期コードと逆相関のコードを使用することを特徴とする請求項３に記載の監視装置。
【発明の詳細な説明】
【技術分野】
【０００１】
本発明は、デジタル通信システムにおける故障データ等の監視情報伝送方式に関し、特にメタルケーブルを用いたデジタル通信システムの中継装置等を監視し、故障データ等の監視情報を監視局となる事業所へ伝送する監視情報伝送方式に関する。
【背景技術】
【０００２】
近年、電力線や通信線等のメタルケーブルを用いる搬送通信システムによりデジタル通信システムが構成されている。このような、電力線／通信線搬送デジタル通信システム（以下デジタル通信線搬送システムと記す）の中継装置は、図９に示すように柱上など屋外に設置されている。この中継装置を構成している搬送装置、電源装置、および端末装置は、通信回線の安定運用のため２４時間連続監視され、装置の運用状態に変化があった場合や、故障が発生した場合は、保守方法を決定するために装置の状態や故障データ等を監視情報伝送装置によりメタルケーブル伝送路を介して、又は搬送装置に重畳させて監視局となる事業所へ伝送する。
【０００３】
つまり、図９に示す中継装置の監視情報伝送方式は、何らかの伝送媒体と伝送手段を用いて故障データ等の監視情報を伝送する。デジタル通信線搬送システムを構成している伝送路のメタルケーブルを使用できる場合、従来技術の方式では、図１０に示すようにデジタル通信線搬送システムで使用する芯線とは異なる芯線や介在線を用いて監視情報を監視情報伝送装置に入力させ、その情報を符号器とアナログモデム、又はデジタルモデムなどを介して監視局となる端局へ伝送する。（特許文献１）
【０００４】
また、監視情報を伝送するための伝送媒体が、デジタル通信線搬送システムが使用しているメタルケーブルと同一の心線を用いなければならない場合は、図１１に示すように、デジタル通信線搬送システムが使用している周波数帯域の下側の帯域を監視情報伝送装置用モデムの周波数帯域に割当て、図１２に示すような構成ブロックで通信データ（信号）と監視情報データを搬送周波数帯でバンドパスフィルタおよびローパスフィルタを用いて結合・分離させ、同一のメタルケーブルに重畳させて監視局となる事業所へ伝送する方式がある。（非特許文献１、特許文献２）
【０００５】
さらに、図１３に示すようにデジタル通信線搬送システムの通信データフレームの前方に監視情報データを付加させる方式がある。これは、図１３に示すような構成ブロックであり、通信データと監視情報データを結合させ、デジタル通信線搬送システムを介して監視局へ伝送させる方式である。（非特許文献２）
【特許文献１】特開昭５８−１８４８３５号公報
【特許文献２】特開昭５９−１０７６５４号公報
【非特許文献１】「有線伝送工学」電子情報通信学会、３７９〜３８１頁
【非特許文献２】「有線伝送工学」電子情報通信学会、４３８頁
【発明の開示】
【発明が解決しようとする課題】
【０００６】
しかしながら、図１０に示すようにデジタル通信線搬送システムとは異なるメタルケーブルの心線や介在線を用いて監視情報を伝送する方式においては、専用のメタルケーブルの心線や介在線を確保し新たに伝送路を構成する必要があるため、山間地など末端系の事業所へ伝送する場合、メタルケーブルの心線は小容量であるなどから、空き線の確保が出来ないことがある。
【０００７】
さらに、監視情報を伝送するための伝送装置が必要となるため、フィルタやモデム、および符号器が通信データ伝送系に加えもう１系統必要となり、監視情報のような数ビットから数十ビットのわずかな伝送容量の要求に対しても、伝送系の設備構成は通信信号を伝送するものと近い機能が要求され、設備費が高価になるという問題が生じる。
【０００８】
また、図１２に示すデジタル通信線搬送システムが使用しているメタルケーブルと同一の心線を使用して伝送する方式においては、前述した方式と同様、フィルタやモデム、および符号器などの伝送系がもう１系統必要となる問題に加え、使用帯域範囲が制限されている場合、図１１に示したように、デジタル通信線搬送システムの通信データ用伝送帯域を減少させて監視情報用伝送帯域を確保しなければならない。この場合、通信データ用伝送帯域幅が減少するため、自ずとデジタル通信線搬送システムの伝送容量を低下させることとなる。
【０００９】
さらに、メタルケーブルでこのデジタル通信線搬送システムの伝送速度を低下させず伝送することが要求される場合、伝送帯域の上限値を高い周波数領域へ移行させて対応させることになる。この場合、周波数帯域が高域側へシフトしたことによりメタルケーブルの減衰量が増大し、結果デジタル通信線搬送システムの受信電力が減少することにより伝送距離が短くなるという問題が生じる。
【００１０】
また、デジタル通信線搬送システムの通信データフレームの前方に監視情報データを付加させる方式においては、図１３に示すように単位時間Ｔsec内に監視情報がｎビット付加させるため、（ｎ／ｍ）×１００％で伝送効率が低下するという問題が生じる。
【００１１】
本発明は、上述のごとき実情に鑑みてなされたものであり、搬送通信システムに限らず、デジタル通信システムにおける中継装置等の監視情報の伝送において、新たにメタルケーブルの確保や伝送設備を構成することなく、かつ、伝送されているデジタル通信システムの伝送機能や伝送効率に影響を与えることなく、デジタル通信システムの監視情報を伝送することを目的とするものである。
【課題を解決するための手段】
【００１２】
前述の目的を達成するために、本発明はデジタル通信システムで信号の伝送に用いられているリードソロモン符号の同期コードを拡散コードとして活用し監視情報を伝送するもので、次のような特徴を有する。
【００１３】
第１の特徴は、伝送する監視情報の各ビット情報を、通信信号の伝送におけるリードソロモン符号で用いられている同期コードと同じビット数で拡散コード化し、当該拡散コード化した情報を、前記リードソロモン符号の同期コードフレーム位置にnフレーム間隔で入れ替えて送信することを特徴とする。
【００１４】
第２の特徴は、前記監視情報のビット情報の“１”を伝送する場合及び“０”を伝送する場合、一方をリードソロモン符号の同期コードと同じコードを使用し、他方は該同期コードと逆相関のコードを使用することを特徴とする。
【発明の効果】
【００１５】
本発明の監視情報伝送方式によれば、伝送されている通信信号用リードソロモン符号の同期コードを活用し、ｎフレーム間隔で監視情報伝送用拡散コードとして用いることから、新たにメタルケーブルの確保や伝送設備を構成することなく、かつ、伝送機能や伝送効率に影響を与えることなく、デジタル通信システムにおける中継装置等の監視情報を伝送することが可能となる。
【００１６】
さらに、本発明の監視情報伝送方式によれば、リードソロモン符号の同期コードを拡散コードとして用いて監視情報を伝送することから、拡散ビット数を（Ｃ）、伝送路の１Ｈｚあたりの雑音電力を（Ｎ）、監視情報を伝送する符号の１ビットエネルギ量をＥbとすると、拡散コード化による信号対雑音電力比Ｓ／Ｎは、
Ｓ／Ｎ＝（Ｅb×Ｃ）／Ｎ
となり、拡散ビット数（Ｃ）に応じてＳ／Ｎ比が向上されるので、誤り訂正符号などの機能を付加することなく耐雑音性の高い監視情報の伝送が可能となる。
【発明を実施するための最良の形態】
【００１７】
本発明に係るデジタル通信システムの監視情報伝送方式は、例えば、前述の図９に示したようなメタルケーブルを用いたデジタル通信線搬送システムの中継装置の故障データ等の監視情報の伝送に適用することにより、特に、山間地など末端事業所などの伝送区間で多くの設備費を必要とせずに監視情報を伝送することができる。
【００１８】
以下、本発明に係るデジタル通信システムの監視情報伝送方式をデジタル通信線搬送システムに適用した一実施形態について図面を参照しながら説明する。
【００１９】
図２はデジタル通信線搬送システムなどにおいて誤り訂正符号として用いられているリードソロモン符号の１フレームの構成例を示し、図３は図２に示した１フレームの構成が複数フレームからなるリードソロモン符号化データの流れを示したものである。
【００２０】
図２に示すリードソロモン符号（ＲＳ２５５、２３９）の１フレームは、同期コード部、データ部、ＦＥＣ（Ｆｏｒｗａｒｄ Ｅｒｒｏｒ Ｃｏｒｒｅｃｔｉｏｎ）部の合計２５６バイトで構成されている。このリードソロモン符号の同期コード部のビット長は８ビット（１バイト）で、符号語は［０１１０１０１０］が用いられている。
【００２１】
そこで、この同期コードの符号語を拡散コードとして用い、図４に示すように、例えば、情報ビット“０”を伝送する場合は、同期コードと同じ符号語の［０１１０１０１０］で拡散を行い、情報ビット“１”を伝送する場合は、同期コードの符号語とは逆相関になる符号語、つまりハミング距離が最大となる符号語［１００１０１０１］で拡散を行う。
【００２２】
そして、監視している機器に故障等が発生し、監視情報を伝送する場合、一例として図５に示しているプリアンブル４ビット、ユニークワード２ビット、監視情報データ８ビットの合計１４ビットの監視情報伝送フレームを伝送する場合、このフレームの情報ビットの１ビットずつを、前述した符号語で拡散コード化して（例えばプリアンブル４ビット“１０１０”を拡散コード化すると、１＝“１００１０１０１”、０＝“０１１０１０１０”、１＝“１００１０１０１”、０＝“０１１０１０１０”となる）、図６に示すようにリードソロモン符号の同期コード部の位置に、例えば、３フレーム周期で拡散コード化したフレームデータが挿入され監視情報が伝送される。
これにより、図７に示しているように、リードソロモン符号の復号処理においては同期コード［０１１０１０１０］を１フレームごとに位置検出してデータ部のスタート位置のタイミングクロックを抽出し復号処理を行っているが、監視情報を伝送する際にリードソロモン符号の復号処理に与える影響を最小限にするため、同期コード部を連続して占有させず、タイミングクロックが自走する時間が連続とならないようにしている。
【００２３】
さらに、情報ビット“０”の拡散コードに［０１１０１０１０］を用いたことにより、図５に示したフレームのプリアンブルビット［１０１０］の４ビットを伝送する場合を例にとると、図１に示しているように、３フレーム周期で同期コード部が監視情報伝送用として占有されているが、情報ビット“０”を伝送しているフレームに関しては同期コードと同一なので、リードソロモン符号の復号処理では監視情報を伝送しているにも係わらず同期コードを検出できる。このことにより、情報ビット“０”と“１”の出現率を５０％とすると、監視情報伝送時の同期コードの占有率と不検出率を約１／２に低減するので、さらにタイミングクロックの自走する時間を低減することを可能としている。
なお、情報ビット“０”と“１”に対する拡散コードの対応関係は反対であってもよいことは明らかである。
また、同期コード部の位置に、例えば、３フレーム周期（２フレーム間隔）で拡散コード化した監視情報のビットを挿入する旨説明したが、２フレーム周期（１フレーム間隔）以上であれば、同期コード部を連続して占有することはなく、タイミングクロックが自走する時間が連続となることはない。
【００２４】
図８は、本発明の一実施形態を示すブロック図であり、図５に示した監視情報伝送フレームを使用して監視情報を伝送する場合の構成例である。
【００２５】
監視情報送信ユニット２０は、監視情報格納部２２と、同期コード格納部２３と、逆相関同期コード格納部２４と、同期タイミング１／ｎ分周部２１と、同期コード選択付加部２５を備える。また、伝送しているデジタル通信線搬送装置のＲＳ（リードソロモン）符号ユニット１０には、ＲＳ符号化部１１と、同期タイミング生成部１２を備える。
【００２６】
監視情報格納部２２では、図５に示した監視情報伝送フレームビットが格納された条件で、同期タイミング１／ｎ分周部２１へ分周クロック受け渡しの要求を行い、その要求を受けてから同期タイミング１／ｎ分周部２１では監視情報格納部２２と同期コード選択付加部２５へ、１／ｎ分周部クロックでタイミング信号を送出する。
【００２７】
監視情報格納部２２では、前述したクロックタイミングで１ビットずつ監視情報格納部２２内のビット情報を同期コード選択付加部２５にデータを送出する。
【００２８】
同期コード選択付加部２５では、監視情報格納部２２からのビット信号が、同期タイミング信号の１／ｎ分周に同期して入力されるので、この１／ｎ分周タイミング信号と、ＲＳ符号ユニット１０の同期タイミング生成部１２からのタイミング信号のアンド条件でビット信号を判定し、“０”であれば同期コート格納部２３のコードが選択され、“１”であれば逆相関同期コード格納部２４のコードが選択され、ＲＳ符号ユニット１０のＲＳ符号化部１１から入力されているリードソロモン符号データの先頭に、その選択された同期コードが付加されリードソロモン符号のフレーム形式で変調部へとデータが送出され、結果図８に示すように、プリアンブル部、ＵＷ部、データ部のデータが拡散コード化されリードソロモン符号の同期コードとして、ｎフレーム間隔で監視情報を伝送することが可能となる。
【００２９】
また、監視情報格納部２２では格納しているデータが送出し終わると、同期タイミング１／ｎ分周部２１へ終了信号を送出すると、同期タイミング１／ｎ分周部２１では監視情報２２と、同期コード選択付加部２５へのタイミング信号送出を停止し、監視情報格納部２２では次の監視情報の待ち受け状態となる。
【００３０】
なお、同期コード選択付加部２５では、同期タイミング１／ｎ分周部２１からのタイミング信号が停止し、ＲＳ符号ユニット１０の同期タイミング生成部１２からのタイミング信号のみの入力となった場合、つまり監視情報が伝送されていない時の同期コードは、同期コード格納部２３のみのコードが使用されてリードソロモン符号が形成される。
【００３１】
以上のように、デジタル通信線搬送システムで用いられているリードソロモン符号の同期コードを利用することで、新たに変復調器などの装置を付加することなく、通信信号の伝送レートや伝送フレーム構成を変更することなく、例えば中継装置等の故障データ等の監視情報を伝送することができる。
なお、実施形態では、デジタル通信線搬送通信システムへの適用例について説明したが、搬送通信システムに限らず、リードソロモン符号を用いてデジタルデータ伝送を行う通信システムに適用できることは明らかである。
【図面の簡単な説明】
【００３２】
【図１】本発明の監視情報伝送のデータ構成を示す図である。
【図２】リードソロモン符号のフレーム構成を示す図である。
【図３】リードソロモン符号化データ構成を示す図である。
【図４】リードソロモン符号の同期コードを用いた拡散コード化を示す図である。
【図５】監視情報伝送用フレームの１例を示す図である。
【図６】監視情報のデータの流れを示す図である。
【図７】リードソロモン符号の同期検出を示す図である。
【図８】本発明の実施形態を示す図である。
【図９】デジタル通信線搬送システムの従来例を示す図である。
【図１０】監視情報を介在線等を用いて伝送する従来例を示す図である。
【図１１】搬送通信における周波数帯域の制約を示す図である。
【図１２】監視情報を通信線に重畳して伝送する従来例を示す図である。
【図１３】監視情報を通信データ（信号）に付加して伝送する従来例を示す図である。
【符号の説明】
【００３３】
１０…ＲＳ（リードソロモン）符号ユニット、１１…ＲＳ符号化部、１２…同期タイミング生成部、２０…監視情報送信ユニット、２１…同期タイミング１／ｎ分周部、２２…監視情報格納部、２３…同期コード格納部、２４…逆相関同期コード格納部、２５…同期コード選択付加部。
【図１】
2008177631.tif 000003
【図２】
2008177631.tif 000004
【図３】
2008177631.tif 000005
【図４】
2008177631.tif 000006
【図５】
2008177631.tif 000007
【図６】
2008177631.tif 000008
【図７】
2008177631.tif 000009
【図８】
2008177631.tif 000010
【図９】
2008177631.tif 000011
【図１０】
2008177631.tif 000012
【図１１】
2008177631.tif 000013
【図１２】
2008177631.tif 000014
【図１３】
2008177631.tif 000015